(57)【要約】【課題】金車とワイヤとの間に手や作業着等が巻きこまれることがなく、ワイヤの角度変化にも対応可能な金車装置を提供する。【解決手段】外周部にワイヤ溝１１を有する金車１０と、金車１０の中心軸１２を回転自在に支持する吊り具１３と、安全カバー２０と、を備えた金車装置１であって、安全カバー２０は、一部を金車１０の中心軸１２に回転自在に軸支されたアーム２１と、アーム２１に固定されて、金車１０に巻き掛けられたワイヤＷを包囲する包囲具２２と、を備えた。【選択図】図１
2011072150.tif 000002
【特許請求の範囲】
【請求項１】
外周部にワイヤ溝を有する金車と、金車の中心軸を回転自在に支持する吊り具と、安全カバーと、を備えた金車装置であって、
前記安全カバーは、一部を金車の中心軸に回転自在に軸支されたアームと、該アームに固定されて、前記金車に巻き掛けられたワイヤを包囲する包囲具と、を備えたことを特徴とする金車装置。
【請求項２】
前記包囲具の少なくとも一部にワイヤ着脱用の開閉部を備えたことを特徴とする請求項１記載の金車装置。
【請求項３】
前記包囲具内にワイヤと摺接する樹脂製カラーを備えたことを特徴とする請求項１又は２記載の金車装置。
【請求項４】
前記包囲具の外周長が、前記金車から離間するに従って漸減することを特徴とする請求項１乃至３の何れか一項記載の金車装置。
【請求項５】
前記アームが伸縮自在であることを特徴とする請求項１乃至４の何れか一項記載の金車装置。
【発明の詳細な説明】
【技術分野】
【０００１】
本発明は、重量物を吊り上げて高所に搬送するための金車装置に関し、特に、金車と金車に巻き掛けられたワイヤとの間に作業者の手や作業着等が巻き込まれることを防止するための安全カバーを備えた金車装置に関する。
【背景技術】
【０００２】
架空電線と架空電線を支持する鉄塔や電柱等とその他の付帯物とから構成される架空電線路には、鉄塔と架空電線との間を絶縁する碍子等、種々の重量物が使用されている。これらの重量物を地表と鉄塔上との間で運搬するために、金車装置が使用される。
金車装置は、外周部にワイヤ溝を有した金車が回転自在となるように金車の中心軸が吊り具によって吊り下げ支持された装置である。金車に巻き掛けられたワイヤの一端部に搬送物を締結し、ワイヤの他端部を引くことによって、搬送物を目的の箇所まで上昇させることができる。
鉄塔上では、作業者がワイヤを引き取りながら搬送されてくる搬送物を受領する。このとき、誤って手や作業着等を金車とワイヤとの間に巻き込んでしまうことがある。
このような事故を防止するべく、特許文献１には、作業者の手や作業着等が金車装置に巻き込まれないようにするために、金車のワイヤ巻き込み部位を被覆する箱状の保護カバーを備えた装置が記載されている。
また、特許文献２には、Ｕ字状の挟まれ防止具にて金車を包囲することにより、金車とワイヤとの間に手や身体の一部が巻きこまれることを防止する装置が記載されている。
【先行技術文献】
【特許文献】
【０００３】
【特許文献１】特開平６−６３８２号公報
【特許文献２】特開平９−２６７９９２号公報
【発明の概要】
【発明が解決しようとする課題】
【０００４】
しかしながら、特許文献１の発明においては、可動部分を有さない保護カバーに形成された挿通孔にワイヤを挿通するため、ワイヤの巻き込み側と巻き出し側とが成す角度（以下「ワイヤの角度」と称する）の変化に対して柔軟に対応できないという問題がある。そのため、ワイヤの角度が変化すると貫通孔とワイヤとが干渉してしまい、保護カバーが破損したり、ワイヤが切断したりする虞があるという問題がある。
特許文献２の発明においては、挟まれ防止具のうちワイヤが通過する可能性のある部位全域に開口部を有しており、ワイヤが開口部に沿って移動するので、ワイヤの角度が変化した場合であっても挟まれ防止具やワイヤが破損する虞は少ない。しかし、ワイヤの断面積に対して開口部の面積が非常に大きいため、開口部に手や作業着等を巻き込む虞があるという問題がある。
本発明は、上述の事情に鑑みてなされたものであり、金車とワイヤとの間に手や作業着等が巻きこまれることがなく、ワイヤの角度変化にも対応可能な金車装置を提供することを目的とする。
【課題を解決するための手段】
【０００５】
上記の課題を解決するために、請求項１に記載の発明は、外周部にワイヤ溝を有する金車と金車の中心軸を回転自在に支持する吊り具と、安全カバーと、を備えた金車装置であって、前記安全カバーは、一部を金車の中心軸に回転自在に軸支されたアームと、該アームに固定されて、前記金車に巻き掛けられたワイヤを包囲する包囲具と、を備えた金車装置を特徴とする。
請求項１の発明では、包囲具がワイヤを包囲したままワイヤの角度に合わせて金車の中心軸周りに自在に回転する。
請求項２に記載の発明は、前記包囲具の少なくとも一部にワイヤ着脱用の開閉部を備えた請求項１記載の金車装置を特徴とする。
請求項２の発明では、ワイヤ着脱時に包囲具の少なくとも一部が開閉して、ワイヤの着脱が容易となる。
請求項３に記載の発明は、前記包囲具内にワイヤと摺接する樹脂製カラーを備えた請求項１又は２記載の金車装置を特徴とする。
請求項３の発明では、ワイヤが樹脂製カラーに摺接しつつ案内される。
請求項４に記載の発明は、前記包囲具の外周長が、前記金車から離間するに従って漸減する請求項１乃至３の何れか一項記載の金車装置を特徴とする。
請求項４の発明では、包囲具の外周長が、金車から離間するに従ってワイヤの外周長に近くなる。
請求項５に記載の発明は、前記アームが伸縮自在である請求項１乃至４の何れか一項記載の金車装置を特徴とする。
請求項５の発明では、アームが自在に伸縮することにより中心軸と包囲具との距離が変更できるので、安全カバーを直径の異なる金車に使用できる。
【発明の効果】
【０００６】
本発明によれば、安全カバーにてワイヤの周囲を包囲するので、作業者の手や作業着等が金車とワイヤとの間に巻きこまれる虞が減少する。また、安全カバーが金車の中心軸に軸支されているので、ワイヤの角度が変化しても安全カバーがワイヤの動きに追従して、ワイヤを損傷することなく金車とワイヤとの間に手や作業着等が巻きこまれることを防止する。また、ワイヤが包囲具内を通過するので、ワイヤが金車から外れることを防止できる。
【図面の簡単な説明】
【０００７】
【図１】第一の実施形態に係る金車装置の模式図であり、（ａ）は正面図であり、（ｂ）は右側面図である。
【図２】包囲具の開放状態を示す模式図である。
【図３】カラーについて説明するための図であり、（ａ）は図１のＡ部分を拡大して示した断面図であり、（ｂ）はカラーの斜視図である。
【図４】第二の実施形態に係る金車装置の正面図であり、（ａ）はアームの伸長前の状態を示す図であり、（ｂ）はアームの伸長後の状態を示す図である。
【図５】第三の実施形態に係る金車装置の正面図であり、（ａ）はアームの伸長前の状態を示す図であり、（ｂ）はアームの伸長後の状態を示す図である。
【発明を実施するための形態】
【０００８】
〔第一の実施形態〕
本発明の第一の実施形態について図１乃至図３に基づいて説明する。本実施形態に係る金車装置は、ワイヤの周囲を包囲する安全カバーを金車の回転中心となる中心軸に軸支させる点に特徴がある。図１は、第一の実施形態に係る金車装置の模式図であり、（ａ）は正面図であり、（ｂ）は右側面図である。図２は、包囲具の開放状態を示す模式図である。図３は、カラーについて説明するための図であり、（ａ）は図１のＡ部分を拡大して示した断面図であり、（ｂ）はカラーの斜視図である。
図１に示すように、金車装置１は、外周部にワイヤ溝１１を有する金車１０と、金車１０の回転中心となる中心軸１２を回転自在に支持する吊り具１３と、中心軸１２に回転自在に支持された安全カバー２０と、を備える。
安全カバー２０は、一部（一端部）を中心軸１２に回転自在に軸支されたアーム２１と、金車１０に巻き掛けられたワイヤＷを包囲する包囲具２２と、を備えており、安全カバー２０は中心軸１２に対して着脱自在に装着されている。
なお、図１には、１つの金車１０に対して２つの安全カバー２０を装着した金車装置１が示されている。作業者の怪我を予防するためには、少なくとも作業者が引き取る側のワイヤＷを覆うように安全カバー２０を装着すれば足りる。
【０００９】
図２に示すように、包囲具２２は、その内部にワイヤＷを挿通可能な中空形状である。包囲具２２は、ワイヤを挿通する空間Ｓを挟んで対向配置された一対の本体部２３と開閉片２４と、本体部２３の一方の外側端縁に設けられて開閉片２４を開閉自在に支持するヒンジ部２５と、開閉片２４の閉止時に開閉片２４に設けた係止部２６ａを保持するために本体部２３の他方の外側端縁に設けられた留め具２６と、を備える。本体部２３はアーム２１に予め一体化されている。また、図３に示すように、包囲具２２の先端部２７の内側にはカラー２８がネジ３１によって固定されている。
包囲具２２のうち金車１０の外周部と対向する部位は、金車１０の外周部に沿った円弧形状を有する円弧部２２ａとなっており、円弧部２２ａの全域に渡って包囲具２２と金車１０との間隔が一定に保持されて非接触となっている。
アーム２１は、中心軸１２周りに自在に回転しつつ、金車１０と包囲具２２との間隔を一定に保持する。金車１０と包囲具２２との間隔が狭すぎると、何らかの振動により金車１０と包囲具２２が干渉する原因となり、また広すぎると金車１０と包囲具２２との間に形成される隙間に作業者の手や作業着等が巻き込まれる原因となる。そのため、中心軸１２から包囲具２２までのアーム２１の長さを金車１０の半径よりもやや長く、例えば２ｍｍ程度長く設定することが望ましい。
【００１０】
包囲具２２の外周長Ｌ１は、金車１０から離間するに従って漸減する構成である。従って、ワイヤＷの巻き込み口又は巻き出し口となる先端部２７における包囲具２２の外周長Ｌ１は、ワイヤＷの外周長に近くなっている。このように構成することで、ワイヤＷをガイドする作業者の手が先端部２７に衝突せずにワイヤＷから包囲具２２上へ滑らかに移行することができるので、作業者の怪我を防止できる。包囲具２２のワイヤ移動方向と直交する方向の断面形状は特に制限されないが、外周面の角を丸く面取りした滑らかな形状とすることが望ましい。
カラー２８は、ワイヤＷと包囲具２２との間に挿入され、ワイヤＷと包囲具２２との隙間を埋める部材である。カラー２８は、本体部２３に装着された本体部カラー２９と、開閉片２４に装着された開閉部カラー３０とから構成されている。本体部カラー２９と開閉部カラー３０には、夫々ワイヤＷを案内するワイヤ溝２９ａ、３０ａが形成されている。ワイヤＷとカラー２８との間隔が例えば１ｍｍ程度となるようにして、包囲具２２とワイヤＷとの間に手や作業着等が巻き込まれることを防止する。また、カラー２８を樹脂素材から構成して、ワイヤＷを傷つけないようにする。カラー２８は、ワイヤＷと摺接して摩耗するので、交換可能に構成するとともにネジ３１により固定して脱落を防止する。カラー２８を装着することにより、包囲具２２及びワイヤＷの破損を防止するとともに高寿命化を図ることができる。
【００１１】
上述の金車装置１にワイヤＷを装着するには、まず留め具２６を外して開閉片２４を開放し、ワイヤ溝１１にはめられたワイヤＷを、本体部カラー２９のワイヤ溝２９ａにはめ込む。開閉片２４を閉止すると、本体部カラー３０のワイヤ溝３０ａにもワイヤＷがはめ込まれ、ワイヤＷの装着が完了する。
金車装置１を使用した搬送物の引き上げ作業中に、作業者がワイヤＷを把持して上昇する搬送物をガイドする際、誤って金車装置に手が接近しても、ワイヤＷの露出部分と金車１０との間に包囲具２２があるので、手がワイヤＷ表面から包囲具２２表面に移動する。包囲具２２自体は金車１０に接近する方向へ移動していないので、包囲具２２にて手の移動を停止させることができる。また、金車１０に近づくにつれて外周が増加する包囲具１０の形状が、手の移動を阻止するためのストッパとしても機能する。作業者は、安心してワイヤＷを把持しつつ、搬送物をガイドすることができる。
また、ワイヤの巻き込み側と巻き出し側とが成す角度である「ワイヤの角度」が変化する場合であっても、アーム２１に固定された包囲具２２が中心軸１２周りに自在に回転するので、角度の再調整等が必要なく、そのまま使用できる。
なお、金車装置１からワイヤＷを取り外す場合は、逆の手順を踏めばよい。
【００１２】
以上のように本実施形態によれば、安全カバーにてワイヤの周囲を包囲したので、作業者がワイヤを把持したときに誤って金車に手が接近した場合に、作業者の手や作業着等が金車とワイヤとの間に巻きこまれる虞が減少する。また、安全カバーが金車の中心軸に軸支されているので、ワイヤの角度が変化しても、ワイヤを損傷することなく、金車とワイヤとの間に手が巻きこまれることを防止する。また、カラーが装着されているので、ワイヤと安全カバーとの間に手が巻き込まれる虞が減少する。また、開閉部により包囲具側面が開放するので、ワイヤの装着が容易である。また、ワイヤが包囲具内を進退移動するので、ワイヤが金車から外れることを防止できる。
【００１３】
〔第二の実施形態〕
本発明の第二の実施形態について図４に基づいて説明する。本実施形態に係る金車装置は、アームの長さを変更可能に構成した点、及びフランジを備えた点に特徴がある。図４は、第二の実施形態に係る金車装置の正面図であり、（ａ）はアームの伸長前の状態を示す図であり、（ｂ）はアームの伸長後の状態を示す図である。第一の実施形態と同一の部分には同一の符号を付してその説明を省略する。
本実施形態の金車装置２に係る安全カバー４０のアーム４１は、中心軸１２に回転自在に軸支された第一アーム４２と、包囲具２２に固定された第二アーム４３とから構成されている。
第二アーム４３には、２本の直線状の長孔４４が開口されている。長孔４４と第一アーム４２に形成された不図示のネジ穴とを利用して、ネジ４５及び図示しないナットにより第一アーム４２と第二アーム４３とを締結可能である。第二アーム４３が長孔４４とネジ４５に案内されて、長孔４４に沿って進退移動することにより、アーム４１が自在に伸縮して、その長さが変化する。また、アーム４１を任意の長さにて固定することが可能である。
【００１４】
包囲具２２の外周面には、ワイヤＷの進退方向と交差する方向、すなわち放射方向にフランジ４６が突出形成されている。作業者の手がフランジ４６よりも金車１０側へと移動することを阻止し、作業者の手が包囲具と金車との間に巻き込まれることを防止する。
図４（ａ）に示すように、安全カバー４０を直径の小さな金車１０ａに装着する場合、アーム４１の長さを金車１０ａの直径に合わせて調節し、中心軸１２に回転自在に軸支させる。また、図４（ｂ）に示すように、安全カバー４０を直径の大きな金車１０ｂに装着する場合、アーム４１の長さを金車１０ｂの直径に合わせて調節し、中心軸１２に回転自在に軸支させる。
以上のように、本実施形態によれば、アームの長さを変更可能に構成したので、アームの長さを金車１０の直径に合わせて調節することができる。従って、本実施形態に係る安全カバーを直径の異なる種々の金車に装着可能である。また、包囲具の外周面に巻き込み防止用のフランジを突出形成したので、作業者の手がフランジよりも金車側へと移動することを防止し、作業者の手が包囲具と金車との間に巻き込まれることを防止できる。
【００１５】
〔第三の実施形態〕
本発明の第三の実施形態に係る金車装置について図５に基づいて説明する。第二の実施形態に係る金車装置においては、第二アームを案内する長孔が直線的であったため、アームを伸長したときに、金車と包囲具との間に大きな間隙が生じていた（図４（ｂ）参照）。本実施形態に係る金車装置においては、第二アームを案内する長孔を曲線状にして、アームを伸長したときに金車と包囲具との間に形成される間隙を可能な限り小さくした点に特徴がある。図５は、第三の実施形態に係る金車装置の正面図であり、（ａ）はアームの伸長前の状態を示す図であり、（ｂ）はアームの伸長後の状態を示す図である。第一の実施形態と同一の部分には同一の符号を付してその説明を省略する。
本実施形態の金車装置３に係る安全カバー５０のアーム５１は、第二の実施形態に係るアーム４１と同様に、中心軸１２に回転自在に軸支された第一アーム５２と、包囲具２２に固定された第二アーム５３とから構成されている。
第二アーム５３には、２本の長孔５４が所定の曲線状に開口されている。長孔５４と第一アーム５２に形成された不図示のネジ穴とを利用して、ネジ５５により第一アーム５２と第二アーム５３とを締結可能である。第二アーム５３が長孔５４とネジ５５に案内されて、長孔５４に沿って進退移動することにより、アーム５１が自在に伸縮して、その長さが変化する。また、アーム５１を任意の長さに固定することが可能である。
【００１６】
ここで、長孔５４の曲線形状について説明する。金車に巻き掛けられたワイヤは、金車の直径に関わらず金車の外周に対して接線方向に繰り出すという特徴がある。従って、ワイヤＷを包囲する包囲具２２のワイヤＷに対する姿勢と、金車１０と円弧部２２ａとが成す最短距離Ｌ２とを、金車１０の直径によらず一定に保持しようとすると、包囲具２２は金車１０の直径の変化に伴って二次曲線の軌跡を描きつつ移動する。従って、本実施形態における長孔５４は、この軌跡に沿った曲線状に開口されている。
図５（ａ）に示すように、安全カバー５０を直径の小さな金車１０ａに装着する場合、アーム５１の長さを金車１０ａの直径に合わせて調節し、中心軸１２に回転自在に軸支させる。また、図５（ｂ）に示すように、安全カバー５０を直径の大きな金車１０ｂに装着する場合、アーム５１の長さを金車１０ｂの直径に合わせて調節し、中心軸１２に回転自在に軸支させる。
以上のように、本実施形態によれば、アームの長さを変更可能に構成したので、アームの長さを金車の直径に合わせて調節することができる。従って、本実施形態に係る安全カバーを直径の異なる種々の金車に装着可能である。また、長孔が所定の曲線状に開口されているため、包囲具のワイヤに対する姿勢を一定に保ちつつ、金車と円弧部とが成す最短距離が一定に保持される。従って、金車と包囲具との間に作業者の手や作業着等が巻き込まれる虞が減少する。
【符号の説明】
【００１７】
１、２、３…金車装置、１０、１０ａ、１０ｂ…金車、１１…ワイヤ溝、１２…中心軸、１３…吊り具、２０…安全カバー、２１…アーム、２２…包囲具、２２ａ…円弧部、２３…本体部、２４…開閉片、２５…ヒンジ、２６ａ…係止具、２６ｂ…留め具、２７…先端部、２８…カラー、２９…本体部カラー、２９ａ…ワイヤ溝、３０…開閉部カラー、３０ａ…ワイヤ溝、３１…ネジ、４０、５０…安全カバー、４１、５１…アーム、４２、５２…第一アーム、４３、５３…第二アーム、４４、５４…長孔、４５、５５…ネジ、４６…フランジ
【図１】
2011072150.tif 000003
【図２】
2011072150.tif 000004
【図３】
2011072150.tif 000005
【図４】
2011072150.tif 000006
【図５】
2011072150.tif 000007